(57)【要約】【課題】  特殊な眼鏡のような機材を使用することなく、観者が裸眼の状態でも立体画像を視認させることが可能な立体画像表示装置を提供する。【解決手段】  ＥＬ素子１０をドットマトリクス状に配置してなる透明表示パネル２２をモータ２７により回転駆動させ、その回転角に同期して透明表示パネル２２に画像を表示させることで観者に立体的な画像を視認させるように立体表示装置２１を構成する。【選択図】  図１
2005173212.tif 000002
【特許請求の範囲】
【請求項１】
自発光する画素をドットマトリクス状に配置してなる透明表示器と、
この透明表示器を回転駆動する駆動機構と、
前記透明表示器の回転角に同期して当該透明表示器に画像を表示させることで、観者に立体的な画像を視認させるように制御する表示制御手段とを備えたことを特徴とする立体画像表示装置。
【請求項２】
自発光する画素をドットマトリクス状に配置してなる透明表示器と、
この透明表示器を、表示面に対して垂直となる方向に駆動する駆動機構と、
前記透明表示器の変位位置に同期して当該透明表示器に画像を表示させることで、観者に立体的な画像を視認させるように制御する表示制御手段とを備えたことを特徴とする立体画像表示装置。
【請求項３】
前記表示制御手段は、観者に視認させる立体的な画像を変化させるように、前記透明表示器に表示させる画像を変化させることを特徴とする請求項１又は２記載の立体画像表示装置。
【請求項４】
前記駆動機構が、前記表示制御手段も前記透明表示器と共に駆動するように構成されていることを特徴とする請求項１乃至３の何れかに記載の立体画像表示装置。
【請求項５】
前記表示制御手段は、外部より与えられる画像信号に基づいて、観者に視認させる立体画像を変化させることを特徴とする請求項４記載の立体画像表示装置。
【請求項６】
前記表示制御手段は、無線通信手段を介して外部より与えられる画像信号を受信することを特徴とする請求項５記載の立体画像表示装置。
【請求項７】
前記透明表示器は、ＥＬ素子を画素として構成されていることを特徴とする請求項１乃至６の何れかに記載の立体画像表示装置。
【発明の詳細な説明】
【技術分野】
【０００１】
本発明は、透明表示器に画像を表示させることで、観者に立体的な画像を視認させるための立体画像表示装置に関する。
【背景技術】
【０００２】
例えば、アーケードゲームなどに代表されるアミューズメント機器や、ＣＴスキャンによって取り込んだ患部の画像を表示する医療機器、また、映像を相互に表示することで遠方の相手との間で会議をおこなうテレビ会議システムなどにおいては、三次元の立体画像を表示させることで臨場感や実物感を得るようにしたいという要求がある。
従来の立体画像表示装置として、例えば特許文献１には、観者に立体画像用の眼鏡をかけさせ、表示器に右目用の画像と左目用の画像とを表示させて、観者の右目には右目用の画像が視認されるように、左目には左目用の画像が視認されるようにすることで、擬似的に立体画像を認識させる技術が開示されている。
【特許文献１】特開昭６１−２２７４９８号公報
【発明の開示】
【発明が解決しようとする課題】
【０００３】
しかしながら、特許文献１に開示されている技術には、以下のような欠点があった。
・立体画像を認識させるため特殊な眼鏡が必要であり、例えば近視用の眼鏡を既に装着している人間にとっては、眼鏡を２重にかけなければならないという不便さがある。また、眼鏡のような機材を、立体画像を同時に観ようとする観者の人数分だけ用意しなければならない。
・表示器に対して立体画像が視認できる位置の関係は決まっており、観者がその位置から外れてしまうと、立体画像を視認できなくなってしまう。
・網膜結像を利用して擬似的に立体画像を認識させているので、人によってはめまいなどの不快感や障害を引き起こす可能性がある。
【０００４】
本発明は上記事情に鑑みてなされたものであり、その目的は、特殊な眼鏡のような機材を使用することなく、観者が裸眼の状態でも立体画像を視認させることが可能な立体画像表示装置を提供することにある。
【課題を解決するための手段】
【０００５】
請求項１記載の立体画像表示装置によれば、自発光する画素をドットマトリクス状に配置してなる透明表示器を回転駆動させ、その回転角に同期して透明表示器に画像を表示させることで観者に立体的な画像を視認させる。即ち、透明表示器を回転駆動させると観者の目には表示画像の残像が映るため、表示器の回転角に同期して画像を表示させれば、観者の視覚に立体的な画像を視認させることが可能となる。従って、特殊な眼鏡のような機材を使用する必要がなくなる。また、透明表示器を用いることで、その周囲に位置する観者の全てに立体的な画像を視認させることができる。加えて、残像現象を利用するので、観者に不快感などを感じさせることもない。
【０００６】
請求項２記載の立体画像表示装置によれば、自発光する画素をドットマトリクス状に配置してなる透明表示器を表示面に対して垂直となる方向に駆動し、その変位位置に同期して当該透明表示器に画像を表示させることで、観者に立体的な画像を視認させる。即ち、この場合も、観者の目には表示画像の残像が映るので、表示器の変位位置に同期して画像を表示させれば、観者の視覚に立体的な画像を視認させることが可能となる。
【０００７】
請求項３記載の立体画像表示装置によれば、表示制御手段は、観者に視認させる立体画像を変化させるように透明表示器に表示させる画像を変化させるので、立体画像の表示パターンを変化させたり、動画像を立体的に表示することも可能となる。
請求項４記載の立体画像表示装置によれば、駆動機構が表示制御手段も透明表示器と共に駆動するので、両者間で伝達される信号の配線について、駆動状態を考慮する必要がなくなる。
【０００８】
請求項５記載の立体画像表示装置によれば、表示制御手段は、外部より与えられる画像信号に基づいて、観者に視認させる立体的な画像を変化させるので、必要に応じてより多様に表示を変化させることができる。
請求項６記載の立体画像表示装置によれば、表示制御手段は、無線通信手段を介して外部より与えられる画像信号を受信するので、駆動機構によって透明表示器と共に駆動されている状態であっても、外部より送信される画像信号を容易に受信することができる。
【０００９】
請求項７記載の立体画像表示装置によれば、ＥＬ素子を画素とすることで、高輝度で表示むらの少ない透明表示器を構成することができる。
【発明を実施するための最良の形態】
【００１０】
（第１実施例）
以下、本発明の第１実施例について図１乃至図９を参照して説明する。図１は、立体画像表示装置の外観構成を示す斜視図である。立体画像表示装置２１は、透明表示パネル（透明表示器）２２、パネル駆動制御部２３、ターンテーブル（駆動機構）２４及び回転機構部２５（駆動機構，図２参照）で構成されている。即ち、ターンテーブル２４の上に、透明表示パネル２２及びパネル駆動制御部２３が載置された状態で固定されている。
【００１１】
透明表示パネル２２は、無機ＥＬ素子を画素として構成されている。図４は、透明表示パネル２２の構成を模式的な断面によって示すものである。透明表示パネル２２は、ガラス基板２の上に、第１電極３、第１絶縁層４、発光層５、第２絶縁層６、第２電極７が真空蒸着又はスパッタリングなどにより順次積層されて構成されている。第１電極３と第２電極７とは、互いに直交する方向に形成されており、例えば、ＩＴＯ(Indium Tin Oxide)などの透明性を有する材質からなる。
【００１２】
発光層５は、例えばＺｎＳ，ＺｎＳｅ等の半導体材料で形成され、発光中心材料にＭｎを用いた場合は黄橙色、Ｔｂを用いた場合は緑色、Ｓｍを用いた場合は赤色の発光を生じるようになる。また、第１絶縁層４、第２絶縁層６は、ＴｉＯ2，ＡｌＯ3，ＳｉＯ2，Ｓｉ3Ｎ4などの誘電体からなる。これらの層の厚さ寸法は、ガラス基板２を除くと凡そ２μｍ程度である。また、耐湿保護のため、接着剤８を介してもう１枚のガラス基板９を張り合わせている。そして、複数の第１電極３と第２電極７とが交差する点に、ＥＬ素子１０がマトリクス状に形成されている。
【００１３】
図５は、パネル駆動制御部２３の電気的構成を示す機能ブロック図である。透明表示パネル２２は、上述した第１電極３を走査電極（以下、走査電極３とする）、第２電極７をデータ電極（以下、データ電極７とする）としている。そして、走査電極３はロウドライバＩＣ（走査側駆動回路）１２によって駆動され、データ電極７はカラムドライバＩＣ（データ側駆動回路）１３によって駆動される。尚、透明表示パネル２２においてｍ×ｎのマトリクスで配置されるＥＬ素子１０は、図５においてコンデンサのシンボルで示している。
【００１４】
ロウドライバＩＣ１２は、具体的には図示しないが、シフトレジスタ、出力制御回路、電圧出力部、電圧出力部を論理データに基づいて制御するレベルシフト回路などで構成されている。ロウドライバＩＣ１２は、フローティング状態の基準電位FGNDが切換えにより変動するように構成され、表示制御部（表示制御手段）１４より出力される制御信号は、アイソレーション回路１５内部のフォトカプラなどによってレベル変換されるようになっている。
【００１５】
また、ロウドライバＩＣ１２によって出力されるパルス状の走査電圧は、電源回路１６より与えられる基準電位や各種電圧に基づいてロウコンポジット回路１７で生成されて供給される。そして、ロウドライバＩＣ１２は、ロウコンポジット回路１７より供給されるパルス状の交流電圧とアイソレーション回路１５を介して与えられる制御信号に基づいて、走査電極３に線順次走査電圧を出力する。走査電圧は、例えば−２００Ｖ，２５０Ｖの交流電圧として出力される。
【００１６】
一方、カラムドライバＩＣ１３も同様に、シフトレジスタ、出力制御回路、電圧出力部、電圧出力部を論理データに基づいて制御するレベルシフト回路などで構成されている。カラムドライバＩＣ１３によって出力されるパルス状のデータ電圧は、電源回路１６より与えられる基準電位や各種電圧に基づいてカラムコンポジット回路１８で生成されて供給される。そして、カラムドライバＩＣ１３は、カラムコンポジット回路１８より供給されるパルス状の電圧と表示制御部１４より与えられる制御信号に基づいて、データ電極７にデータ電圧を出力する。そのデータ電圧は、約５０Ｖをハイレベル、０Ｖをロウレベルとして出力される。
【００１７】
ここで、走査電圧が２５０Ｖである場合、データ電圧として０Ｖが出力されるとＥＬ素子１０の両端に印加される合成電圧は２５０ＶとなりＥＬ素子１０は発光し、データ電圧として５０Ｖが出力されると合成電圧は２００ＶとなりＥＬ素子１０は発光しない。一方、走査電圧が−２００Ｖである場合、データ電圧として０Ｖが出力されるとＥＬ素子１０の両端に印加される合成電圧は２００ＶとなりＥＬ素子１０は発光せず、データ電圧として５０Ｖが出力されると合成電圧は２５０ＶとなりＥＬ素子１０は発光する。
【００１８】
コントローラＩＣである表示制御部１４には、外部より画面切替信号、角度信号（これらについては後述する）、クロック（ＣＬＫ）信号が与えられ、それらの入力信号に基づいて各制御信号をアイソレーション回路１５、ロウコンポジット回路１７、カラムコンポジット回路１８に夫々出力する。また、アイソレーション回路１５には、回路グランドＧＮＤ及び制御電源ＶCCを渡している。
【００１９】
電源回路１６は、スイッチングレギュレータを備えてなるＤＣ−ＤＣコンバータ等で構成され、外部より与えられる直流電源ＶDDに基づいて＋Ｖrow（２５０Ｖ），−Ｖrow（−２００Ｖ），Ｖcol（約５０Ｖ）を生成し、ロウコンポジット回路１７，カラムコンポジット回路１８に夫々供給する。また、電源回路１６は、フローティング電位のＦ５Ｖとフローティング基準電位のFGNDをアイソレーション回路１５に渡している。
【００２０】
図２は、回転機構部２５の構成を示す正面方向断面図である。ケース２６の内底部にはモータ２７が固定されており、上方に伸びるモータ２７の回転軸２８は、ケース２６の上方に設けられた開口２６ａを介して外部に露出しており、その先端にターンテーブル２４の中心が固定されている。また、エンコーダディスク２９は、回転軸２８に貫通した状態で固定されており、ケース２６の上方カバー裏面には、光学式のエンコーダセンサ３０が配置されている。
【００２１】
図３は、エンコーダ部分の構成を示す平面図である。エンコーダディスク２９の外周部には、回転角１５度毎にＡ相信号を出力するための複数のスリット３１Ａが形成されており、その内周側には、原点であるＺ相信号を出力するためのスリット３１Ｚが形成されている。そして、スリット３１Ａ，３１Ｚの位置に合わせて、エンコーダセンサ３０Ａ，３０Ｚが配置されている。
【００２２】
エンコーダセンサ３０は、具体的には図示しないが投光素子及び受光素子を内蔵している。投光素子より発せられた光はエンコーダディスク２９に反射して受光素子に受光されるが、スリット３１が形成されている部分では光が反射せず受光されなくなることでスリット３１が検出され、パルス信号（Ａ相，Ｚ相信号）をカウンタ３２に出力する。カウンタ３２は、Ｚ相信号が入力されるとリセットされ（回転角０度）、Ａ相信号が入力される毎にアップカウント動作を行なう。従って、１５×（カウント値）がターンテーブル２４の回転角を示す。ここで、エンコーダディスク２９，エンコーダセンサ３０及びカウンタ３２は、エンコーダ３３を構成している。
【００２３】
図６は、表示制御部１４の内部構成を機能別に示すブロック図である。表示制御部１４は、大別して、メモリ３４とコントローラ３５とで構成されている。コントローラ３５は、更に、タイマ３６、画面セット計算部３７、画面番号計算部３８、メモリアドレス計算部３９、駆動波形・制御信号生成部４０で構成されている。尚、以下の説明において、１つの立体画像を表示するための画像の集合を画像セット、画像セットを構成する各画像を画像パーツと称する。
【００２４】
メモリ３４には、複数の画像セットをなす画像データが記憶されている。画面セット計算部３７は、タイマ３６によって一定周期毎に出力されるタイミング信号（若しくは、外部より与えられる画面切替信号）に応じて、どの画面セットを表示するかを計算し、計算結果をメモリアドレス計算部３９に出力する。また、画面番号計算部３８は、エンコーダ３３より出力される角度データに基づいて、どの画像パーツを表示するかを計算し、計算結果をメモリアドレス計算部３９に出力する。
【００２５】
メモリアドレス計算部３９は、２つの計算部３７，３８による計算結果より、メモリ３４の何れのアドレスに記憶された画像データを読み出すかを計算し、アドレス信号を出力する。そして、メモリ３４より読み出された画像データは駆動波形・制御信号生成部４０に与えられ、ドライバＩＣ１２，１３側に出力される制御信号に変換される。
次に、本実施例の作用について図７乃至図９も参照して説明する。図７は、立体画像表示装置２１によって表示しようとする、一辺がＷの立方体４１の立体画像例である。回転角度座標の原点０度を立体画像表示装置２１の正面として、立方体４１の一面もその正面を向いているとする。すると、正面（０度）方向から立方体４１を見ると、その横幅寸法はＷに等しい（図８（ａ）参照，画像パーツ１）。
【００２６】
また、立方体４１を正面から１５度の角度で見た場合、立方体４１の横幅寸法はＷ／ｃｏｓ（１５°）となって見える（図８（ｂ）参照，画像パーツ２）。同様に、３０度，４５度の角度で見た場合、立方体４１の横幅寸法は、Ｗ／ｃｏｓ（３０°），Ｗ／ｃｏｓ（４５°）となって見える（図８（ｃ），（ｄ）参照，画像パーツ３，４）。
従って、透明表示パネル２２の表示面が正面を向いている場合は画像パーツ１を表示させ、そこから、モータ２７を回転させて表示面が１５度傾いた時点では画像パーツ２を表示させ、更に表示面が３０度，４５度傾いた時点では画像パーツ３，４を夫々表示させる。そして、表示面の傾きが４５度を超えると、立方体４１の次の面が見えてくるので、傾きが６０度，７５度，９０度に変化した場合は、画像パーツ３，２，１を表示させる。
【００２７】
以降、図９に示すように、９０度毎に上記の表示パターンを繰り返す。すると、各画像パーツが表示される間の期間は、人間の目には直前に表示された画像パーツの残像が映るので、回転する透明表示パネル２２を観る者には、立方体４１の立体的な画像を視認させることができる。例えば、残像を利用して表示を行う表示装置については、特開平２−２１３８９２号公報に記載されている（但し、１次元の表示素子アレイを用いて２次元画像を表示させるもの）。
尚、本実施例では、表示対象を立方体４１としたことで画像セットを構成するパーツ数は「４」で十分であるが、表示対象の形状に応じて、立体的な画像を十分に表現可能となる回転角の分解能とパーツ数とを適宜選択して実施すれば良い。
【００２８】
以上のように本実施例によれば、ＥＬ素子１０をドットマトリクス状に配置してなる透明表示パネル２２をモータ２７により回転駆動させ、その回転角に同期して透明表示パネル２２に画像を表示させることで観者に立体的な画像を視認させるように、立体表示装置２１を構成した。従って、特殊な眼鏡のような機材を使用する必要がなくなる。また、透明表示パネル２２を用いることで、その周囲に位置する観者の全てに立体的な画像を視認させることができる。
【００２９】
そして、表示制御部１４は、観者に視認させる立体的な画像を変化させるように透明表示パネル２２に表示させる画像を変化させるので、立体画像の表示パターンを変化させたり、動画像を立体的に表示することも可能となる。従って、例えばアミューズメント機器に対して適用すれば、高い映像表現力を付与することができる。
また、ターンテーブル２４上に透明表示パネル２２及びパネル駆動制御部２３を載置して、回転機構部２５によって両者を一体に回転させるので、両者間の信号配線について駆動状態を考慮する必要がなくなる。加えて、ＥＬ素子１０を画素とすることで、高輝度で表示むらの少ない透明表示パネル２２を構成することができ、透明表示パネル２２を用いたことで、透明表示パネル２２を異なる方向から観ている者に、立体的な画像を同時に視認させることができる。
【００３０】
（第２実施例）
図１０及び図１１は本発明の第２実施例を示すものであり、第１実施例と同一部分には同一符号を付して説明を省略し、以下異なる部分についてのみ説明する。第２実施例は、第１実施例におけるパネル駆動制御部２３のように、画像データを予めメモリ３４に記憶しておく形態とは異なり、画像データが外部よりリアルタイムで転送される形態を採用した場合を示す。
【００３１】
即ち、図１０に示すように、コントローラ３５Ａは駆動波形・制御信号生成部（表示制御手段）４２のみによって構成されており、駆動波形・制御信号生成部４２には、外部より同期信号、ドットクロック、映像信号が与えられている。そして、駆動波形・制御信号生成部４２は、それらの信号に基づいて駆動信号や制御信号を生成出力する。図１１は、各信号の具体的な波形の一例を示すものである。同期信号は、周波数２２０Ｈｚの垂直同期信号VSYNCと、周波数２７．０ｋＨｚの水平同期信号HSYNCからなる。ドットクロックDCLKは周波数５ＭＨｚであり（周期Ｔ＝２００ｎｓ）、映像信号DATA0はロウ側奇数ライン用のデータ、映像信号DATA1はロウ側遇数ライン用のデータである。
【００３２】
透明表示パネルの画素マトリクスを、１２０×２５６とする。水平同期信号HSYNCの周期Ｈは１８５Ｔ（＝３７μｓ）であり（図１１（ｂ）参照）、垂直同期信号VSYNCの周期Ｖは１２３Ｈ（＝４．５５１ｍｓ）である（図１１（ａ）参照）。水平同期信号HSYNCは、各周期の冒頭に２Ｈのハイレベル期間があり、その後、水平同期信号HSYNCに基づきカラム方向の１２０ラインについて表示を行い、１Ｈのブランクを置いて次の周期に至る。
【００３３】
図１１（ｃ）は、水平同期信号HSYNCの１周期を拡大して示すもので、冒頭から１１７Ｔがハイレベル、６８Ｔがロウレベルとなる。HSYNCの周期冒頭から１５はブランクであり、そこから１２８Ｔの間に奇数ライン（１，３，・・・，２５５），偶数ライン（２，４・・・，２５６）夫々１２８ラインずつのデータが出力される（図１１（ｅ），（ｆ）参照）。そして、周期末尾の４２Ｔもブランクとなる。映像信号DATA0,1は、ロウレベルで画素を発光させ、ハイレベルで画素を発光させないようにする。
以上のように第２実施例によれば、駆動波形・制御信号生成部４２は外部より与えられる画像信号に基づいて、観者に視認させる立体画像を必要に応じてより多様に変化させることができる。例えば、ＣＴ(Computer Tomography)スキャンのような医療機器に本発明を適用した場合に、任意の画像をその場で選択して表示させることが可能となる。
【００３４】
（第３実施例）
図１２は、本発明の第３実施例を示すものであり、第１，第２実施例と異なる部分についてのみ説明する。第２実施例の構成において、駆動波形・制御信号生成部４２に外部より画像信号を与えるとすれば、実際には、ターンテーブル２４上に位置する駆動波形・制御信号生成部４２に対して、スリップリングのような機構を介して固定側より可動側に信号を伝達する必要がある（例えば、特開平２−２１３８９２号公報，第２図参照）。しかしながら、第２実施例で示したように、画像信号にはＭＨｚオーダーの信号が含まれるため、可動機構部において画像信号等にノイズが載った場合に誤動作の発生が懸念される。
【００３５】
そこで、第３実施例では、図１２に示すように、Bluetooth（登録商標）規格に準拠するトランスミッタ（無線通信手段）４３及びレシーバ（無線通信手段）４４を用い、外部より立体表示装置４５に対して画像信号を送信する。即ち、外部の信号送信側は、トランスミッタ４３を備えて、第２実施例で示した各信号で無線信号を変調して送信する。そして、立体表示装置４５側はレシーバ４４を備え、受信した無線信号を復調して駆動波形・制御信号生成部４２に出力する。尚、駆動波形・制御信号生成部４２にレシーバ４４を加えたものが、パネル駆動制御部（表示制御手段）４６を構成する。
【００３６】
以上のように構成された第３実施例によれば、駆動波形・制御信号生成部４２は、レシーバ４４を介して外部より与えられる画像信号を受信するので、メカニカルに構成される可動部を介すことなく信号の伝達が可能となり、回転機構部２５によって透明表示パネル２２と共に駆動されている状態であっても、外部より送信される画像信号を容易に受信することができる。
【００３７】
（第４実施例）
図１３及び図１４は本発明の第４実施例を示すものであり、第１実施例と異なる部分についてのみ説明する。第４実施例の立体表示装置４７は、透明表示パネル２２及びパネル駆動回路部２３に代わるパネル駆動回路部（表示制御手段）２３Ａを、スライド機構部（駆動機構）４８に搭載し、透明表示パネル２２の表示面と垂直な方向に往復移動させるように構成されている。
【００３８】
即ち、スライド機構部４８は、所謂リニアアクチュエータをなすもので、２本のスライドレール４９ａ，４９ｂと、それらのレール４９ａ，４９ｂに載置されるテーブル５０とで構成されており、テーブル５０は、レール４９ａ，４９ｂに沿って図１３中前後方向に移動される。そして、テーブル５０の上に、透明表示パネル２２及びパネル駆動回路部２３Ａが載置固定されている。
【００３９】
次に、第４実施例の作用について図１４も参照して説明する。図１４（ａ）は立体表示装置４７の側面図であり、図１４（ｂ）は透明表示パネル２２の変位位置に応じて表示される画像パーツを正面から見たものである。変位位置は（１）〜（４）の夫々において、大きさが異なる楕円形の図形が画像パーツ１〜４として表示される。
即ち、第１実施例のパネル駆動回路部２２は、透明表示パネル２２の回転角度に応じて表示させる画像パーツを変化させたが、第３実施例のパネル駆動回路部２２Ａは、透明表示パネル２２の直線変位位置に応じて表示させる画像パーツを変化させている。斯様な形態で表示を行うことで、人間の目にはやはり残像効果が作用し、立体表示装置４７を側面側から見るものには卵形の立体形状５１を視認させることが可能となる。
【００４０】
以上のように第４実施例によれば、立体表示装置４７は、スライド機構部４８により透明表示パネル２２を表示面に対して垂直となる方向に駆動し、その変位位置に同期して当該透明表示パネル２２に画像を表示させることで、観者に立体的な画像を視認させるようにしたので、この場合も、観者の視覚に立体的な画像を視認させることができる。
本発明は上記し且つ図面に記載した実施例にのみ限定されるものではなく、以下のような変形又は拡張が可能である。
【００４１】
透明表示器としては、その他、無機ＥＬ素子を画素としたり、ＶＦＤ(Vacuum Fluorescence Display)、ＰＤＰ(Plasma Display Panel)等を用いて構成しても良い。
駆動機構は、手動で透明表示器等を駆動する構成であっても良い。
また、駆動機構によって透明表示器のみを駆動変位させても良い。
表示する立体画像は、１セットのみであっても良い。
【００４２】
エンコーダ３３に代えて、モータ２７の駆動パルスに基づいて回転角度を示す信号を得ても良い（特開平２−２１３８９２号公報参照）。
第３実施例における無線通信手段は、Bluetooth（登録商標）に限ることなく、その他無線ＬＡＮなどでも良い。
第４実施例の構成に、第２，第３実施例の構成を組み合わせて実施しても良い。
【図面の簡単な説明】
【００４３】
【図１】本発明の第１実施例であり、立体画像表示装置の外観構成を示す斜視図
【図２】回転機構部の構成を示す正面方向断面図
【図３】エンコーダ部分の構成を示す平面図
【図４】透明表示パネルの構成を示す模式的断面図
【図５】パネル駆動制御部の電気的構成を示す機能ブロック図
【図６】表示制御部の内部構成を機能別に示すブロック図
【図７】立体画像表示装置によって表示しようとする、一辺がＷの立方体の立体画像例を示す図
【図８】図７の立体画像を構成する画像セットの画像パーツを示す図
【図９】透明表示パネルの回転位置に応じた画像パーツの出力パターンを示す図
【図１０】本発明の第２実施例を示す図６相当図
【図１１】各信号の具体的な波形の一例を示す図
【図１２】本発明の第３実施例を示す図６相当図
【図１３】本発明の第４実施例を示す図１相当図
【図１４】（ａ）は立体表示装置の側面図、（ｂ）は透明表示パネルの変位位置に応じて表示される画像パーツを正面から見た図
【符号の説明】
【００４４】
図面中、１０は無機ＥＬ素子（画素）、１４は表示制御部（表示制御手段）、２０は立体画像表示装置、２１は透明表示パネル（透明表示器）、２２はパネル駆動回路部（表示制御手段）、２５は回転機構部２５（駆動機構）、４２は駆動波形・制御信号生成部（表示制御手段）、４３はトランスミッタ（無線通信手段）、４４はレシーバ（無線通信手段）、４５は立体画像表示装置、４６はパネル駆動制御部（表示制御手段）、４７は立体画像表示装置、４８はスライド機構部（駆動機構）を示す。
【図１】
2005173212.tif 000003
【図２】
2005173212.tif 000004
【図３】
2005173212.tif 000005
【図４】
2005173212.tif 000006
【図５】
2005173212.tif 000007
【図６】
2005173212.tif 000008
【図７】
2005173212.tif 000009
【図８】
2005173212.tif 000010
【図９】
2005173212.tif 000011
【図１０】
2005173212.tif 000012
【図１１】
2005173212.tif 000013
【図１２】
2005173212.tif 000014
【図１３】
2005173212.tif 000015
【図１４】
2005173212.tif 000016